(57)【要約】【課題】野外の工事現場などにおける使い勝手に優れた事務室及び快適なトイレを具備し、比較的小型で、加速性能や登坂性能も良好な自動車を提供する。【解決手段】自動車１００は、運転席１の後方に配置された空間１０内に、テーブル２、椅子３、パーソナルコンピューター４（以下、ＰＣ４と略記する）、ファクシミリ兼用プリンター５、インターネット接続手段６、複数の交流１００Ｖ給電手段７及びＵＳＢポート４５と、椅子３の下方に着脱可能に配置されたトイレユニット８と、を備えている。また、トイレユニット８の汚物処理手段として、汚物を凝固させる凝固剤と、凝固した汚物を密封する封止手段と、を備えている。【選択図】図３
2020063023.tif 000002
【特許請求の範囲】
【請求項１】
運転席の後方に配置された空間内に、テーブル、椅子、パーソナルコンピューター、プリンター、インターネット接続手段、交流１００Ｖ給電手段及び前記椅子の下方に配置されたトイレユニットと、を備え、
前記トイレユニットの汚物処理手段が、汚物を凝固させる凝固剤と、凝固した汚物を密封する封止手段とを備えた自動車。
【請求項２】
前記交流１００Ｖ給電手段の電源として、エンジンで駆動する発電機、前記発電機で充電された蓄電池若しくは太陽光発電装置のうちの少なくとも一つを備えた請求項１記載の自動車。
【請求項３】
前記交流１００Ｖ給電手段の電源から前記空間の外部へ給電可能な出力端子を備えた請求項１又は２記載の自動車。
【請求項４】
ＡＥＤ（自動体外式除細動器）を備えた請求項１〜３の何れかの項に記載の自動車。
【請求項５】
走行用駆動手段がモータであり、前記モータへの給電手段がエンジンで駆動する発電機若しくは蓄電池の少なくとも一方である請求項１〜４の何れかの項に記載の自動車。
【発明の詳細な説明】
【技術分野】
【０００１】
本発明は、建設工事現場や災害現場などの近傍に駐車した状態で車内空間を事務所や連絡所などとして使用することができる自動車に関する。
【背景技術】
【０００２】
建設現場などの近くに駐車した状態で車内空間を事務所として使用することができる機能を備えた自動車については、従来、様々な提案がなされているが、本発明に関連するものとして、例えば、特許文献１に記載された「移動式現場事務所」、特許文献２に記載された「工事支援用移動事務所車」、特許文献３，４に記載された「移動事務所車」などがある。
【０００３】
特許文献１に記載された「移動式現場事務所」は、運転席エリアと、事務エリアと、収納エリアとに分かれ、事務エリアには会議机と事務机が配備され、事務机にはパソコン、プリンター、ファクシミリなどの事務機器が配置され、収納エリアには高性能電池が搭載されている。
【０００４】
特許文献２に記載された「工事支援用移動事務所車」は、事務室と、事務室と隣接したトイレ、シャワー室などを備え、事務室内には自動車電話用ＦＡＸが配設されている。
【０００５】
特許文献３に記載された「移動事務所車」は、運転室の後部に配置された事務室と、事務室の後部に隔壁によって他と区画された状態で配置された手洗室とを具備し、手洗室に大小兼用の便器が据え付けられ、この便器には焼却式の便槽が設けられている。
【０００６】
特許文献４に記載された「移動事務所車」においては、車室の後部に他と区画して設けられた空所内に便器と付帯設備を据え付けることにより手洗室となし、この手洗室と運転席との間にテーブルやシートを有する事務室が設けられている。
【先行技術文献】
【特許文献】
【０００７】
【特許文献１】特開２００４−３４７５６号公報
【特許文献２】実開平６−７８１０６号公報
【特許文献３】実開平４−１１２１２８号公報
【特許文献４】実開平３−２５３３９号公報
【発明の概要】
【発明が解決しようとする課題】
【０００８】
特許文献１に記載された「移動式現場事務所」は事務所としての機能は備えているが、トイレを備えていないので、近くにトイレが存在しない工事現場において使用する際に不便である。
【０００９】
特許文献２に記載された「工事支援用移動事務所車」並びに特許文献３，４に記載された「移動事務所車」はそれぞれ事務室及びトイレを備えているので、トイレのない工事現場において使用する際にも不都合は生じないが、何れも事務室とトイレとが別々のスペースに設けられているので、自動車が大型化するという問題がある。
【００１０】
また、特許文献３に記載された「移動事務所車」のトイレ（手洗室）においては便器下に焼却式の便槽が設けられ、特許文献４に記載された「移動式事務所」のトイレ（手洗室）においては便器下に汚水タンクが設けられているため、トイレ（手洗室）設備自体の大型化、重量増大を回避することが困難である。また、重量増大に起因するエンジンの出力不足が生じ、自動車としての走行性能（例えば、加速性能や登坂性能など）が低下する可能性がある。
【００１１】
そこで、本発明が解決しようとする課題は、野外の工事現場などにおける使い勝手に優れた事務室及び快適なトイレユニットを具備し、比較的小型で、加速性能や登坂性能も良好な自動車を提供することある。
【課題を解決するための手段】
【００１２】
本発明に係る自動車は、運転席の後方に配置された空間内に、テーブル、椅子、パーソナルコンピューター、プリンター、インターネット接続手段、交流１００Ｖ給電手段及び前記椅子の下方に配置されたトイレユニットと、を備え、
前記トイレユニットの汚物処理手段が、汚物を凝固させる凝固剤と、凝固した汚物を密封する封止手段とを備えたことを特徴とする。
【００１３】
前記自動車においては、前記交流１００Ｖ給電手段の電源として、エンジンで駆動する発電機、前記発電機で充電された蓄電池若しくは太陽光発電装置のうちの少なくとも一つを備えることが望ましい。
【００１４】
前記自動車においては、前記交流１００Ｖ給電手段の電源から前記空間の外部へ給電可能な出力端子を備えることが望ましい。
【００１５】
前記自動車においては、ＡＥＤ（自動体外式除細動器）を備えることが望ましい。ここで、前記ＡＥＤ（自動体外式除細動器）とは、心臓が痙攣して血液を流すポンプ機能を失った状態（心室細動）になったとき、心臓に対して、電気ショックを与え、正常なリズムに戻すための医療機器をいう。
【００１６】
前記自動車においては、走行用駆動手段がモータであり、前記モータへの給電手段がエンジンで駆動する発電機若しくは蓄電池の少なくとも一方であることが望ましい。
【発明の効果】
【００１７】
本発明により、野外の工事現場などにおける使い勝手に優れた事務室及び快適なトイレを具備し、比較的小型で、加速性能や登坂性能も良好な自動車を提供することができる。
【図面の簡単な説明】
【００１８】
【図１】本発明の実施形態である自動車を示す側面図である。
【図２】図１に示す自動車においてルーフパネルを削除した状態を示す一部省略平面図である。
【図３】図２の一部省略拡大図である。
【図４】図１に示す自動車の左後部ドアを開いて内部構造を示す一部省略斜視図である。
【図５】図１に示す自動車の左後部ドアを開いて内部構造を示す一部省略斜視図である。
【図６】図５中に示す椅子付近においてテーブルを起立させた状態を示す一部省略斜視図である。
【図７】図６中に示す椅子付近においてテーブルを倒伏させた状態を示す一部省略斜視図である。
【図８】図１に示す自動車において背面ドアを開いた状態を示す一部省略斜視図である。
【図９】図６中に示す椅子において着座部を取り外して便器を露出させた状態を示す一部省略斜視図である。
【図１０】図９中に示す椅子の下に配置されたトイレユニットの一部省略斜視図である。
【発明を実施するための形態】
【００１９】
以下、図１〜図１０に基づいて、本発明の実施形態である自動車１００について説明する。図１〜図３に示すように、本実施形態に係る自動車１００は、運転席１の後方に配置された空間１０内に、テーブル２、椅子３、パーソナルコンピューター４（以下、ＰＣ４と略記する）、ファクシミリ兼用プリンター５、インターネット接続手段６、複数の交流１００Ｖ給電手段７及び椅子３の下方に配置されたトイレユニット８と、を備えている。交流１００Ｖ給電手段７の近傍にはＵＳＢポート４５が併設されている。後述する図１０に示すように、トイレユニット８の汚物処理手段として、汚物を凝固させる凝固剤８ａと、凝固した汚物を密封する封止手段８ｂと、を備えている。
【００２０】
ファクシミリ兼用プリンター５は簡易型印刷機ではなく、通常の事務所において使用されている標準型印刷機であるため、高品質の印刷を行うことができる。インターネット接続手段６は無線ＬＡＮによる高速通信が可能である。
【００２１】
自動車１００においては、交流１００Ｖ給電手段７の電源として、自動車１００に搭載されたエンジンで駆動される発電機、発電機で充電された蓄電池あるいは太陽光発電装置などを備えることができるが、これらに限定するものではない。また、自動車１００においては、走行用駆動手段がモータであり、モータへの給電手段がエンジンで駆動する発電機若しくは蓄電池の少なくとも一方であるが、これらに限定するものではない。
【００２２】
図２，図３に示すように、自動車１００においては、運転席１と助手席９との間の隙間１１並びに左後部ドア１２Ｌを開いたときに現れる乗降口１３（図４参照）を経由して空間１０へ出入りすることができる。運転席１の後方とファクシミリ兼用プリンター５との間には間仕切りパーテーション１４が設けられ、助手席９及び隙間１１の後方には間仕切りカーテン１５が設けられている。乗降口１３の左側（助手席９寄りの部分）には乗降用手摺り１６が立設され、乗降口１３の右側（自動車１００の後部側）には配電板１７が立設されている。
【００２３】
図４，図５に示すように、空間１０を形成する自動車１００の天井部Ｃには複数の照明灯Ｌ１，Ｌ２などが配置されている。配電板１７の上方部分には、操作パネル４７，４８，４９が配置されている。操作パネル４７には照明灯Ｌ１，Ｌ２，Ｌ３などの点滅操作を行うための複数のスイッチ４７ａが設けられている。操作パネル４８には、主電源をＯＮ・ＯＦＦするメインスイッチ４８ａと、収納スペース１９の下方に配備された予備バッテリ（図示せず）の残容量を示すメータ４８ｂとが設けられている。操作パネル４９には、自動車１００に搭載されたインバータ（図示せず）を制御するスイッチ４９ａ，４９ｂ，４９ｃと、インバータの出力状態を表示するインジケータ４９ｄが設けられている。
【００２４】
配電板１７の下方部分には、折り畳み式の椅子１８が設けられている。椅子１８は蝶番１８ａを介して垂下状に配電板１７に取り付けられており、使用するときは蝶番１８ａを中心に椅子１８を持ち上げることにより椅子１８が水平保持される。椅子１８の使い方は限定しないが、例えば、靴や靴下などを履いたり、脱いだりするときなどの、一時的な腰掛として利用することができる。
【００２５】
図３〜図５に示すように、ファクシミリ兼用プリンター５の後方に収納スペース１９が設けられ、収納スペース１９の後方に椅子３が配置されている。収納スペース１９と椅子３との間には間仕切りパーテーション３１が設けられている。収納スペース１９は垂直状の仕切板３９により複数の領域に区画されている。ファクシミリ兼用プリンター５は、自動車１００の走行中に傾動したり、移動したりしないように、シートベルトＳＢにより保持されている。収納スペース１９の一部にはＡＥＤ（自動体外式除細動器）４０が配備されているため、建設現場や災害現場などにおける緊急救命措置が可能である。
【００２６】
室内１０において、ファクシミリ兼用プリンター５及び収納スペース１９などが設けられた領域と、椅子３、テーブル２及び棚２５などが設けられた領域とを区画するため目隠しカーテン４２が設けられている。また、図１〜図５に示すように、自動車１００の左後部ドア１２Ｌ、右後部ドア１２Ｒのガラス窓部１２Ｌｗ，１２Ｒｗの内側、並びに、左後部窓４４Ｌｗ、右後部窓４４Ｒｗの内側にも、それぞれ目隠しカーテン４３，４４が設けられている。
【００２７】
図４，図５に示すように、空間１０において、ファクシミリ兼用プリンター５、収納スペース１９並びに椅子３などが配置されていない床面Ｆは人間が自由に歩行移動することができ、床面Ｆは日本人の平均的体格の成人男性が仰臥できる広さが確保されているので、横になって休憩したり、睡眠を取ったりすることもできる。図４〜図６に示すように、空間１０内において、収納スペース１９を構成する側板１９ａの下方部分やテーブル２の裏面などには伸縮ネットで形成された収納ポケット５０が備え付けられている。
【００２８】
椅子３の背面側（自動車１００の右側面側）には背もたれ２０が設けられ、椅子３を構成する着座部３ａの右側並びに左側（自動車１００の前方側及び後方側）にはそれぞれ肘置き２１，２２が設けられている。肘置き２１にはカップホルダ２３が設けられ、肘置き２２には携帯端末などの充電スペース２４が設けられている。肘置き２２の左側（自動車１００の後方側）には棚２６が設けられている。背もたれ２０、着座部３ａは別の部材であり、それぞれ椅子３に対して着脱可能である。
【００２９】
椅子３に着座した人間から見て前方側（自動車１００の左側面側）には、テーブル２並びに棚２５が同一平面をなすように配置されている。テーブル２は棚２５に蝶番２ａを介して回動可能に取り付けられているため、自動車１００の走行中（又は不使用時）は図６に示すようにテーブル２を起立させ垂直状態に保持することができ、使用時は図７に示すようにテーブル２を倒伏させ水平状態に保持することができる。テーブル２及び棚２５の左側（自動車１００の後方側）には棚２７が設けられている。
【００３０】
図５，図６に示すように、垂直状態に保持したテーブル２の前方側（自動車１００の左側面側）には支持板２８が立設されている。垂直状態のテーブル２と支持板２８との間には液晶ディスプレイ２９が配置可能なスペースが設けられている。支持板２８の斜縁部２８ａにはフレキシブルアーム３０を介して照明灯Ｌ３が着脱可能に取り付けられている。フレキシブルアーム３０を調整することにより、照明灯Ｌ３はテーブル２並びに棚２５の表面の所定領域を照らすことができる。
【００３１】
図６に示すように、配電板１７（図５参照）の後方側（自動車１００の後方側）に配電板１７と平行をなすように支持板４１が立設され、垂直状態に起立させたテーブル２の裏面と支持板４１に互いに係脱可能なロック器具３２ａ，３２ｂが設けられている。テーブル２を垂直状態に起立させた後、ロック器具３２ａ，３２ｂを係合させれば、不使用時のテーブル２を垂直状態に安定保持することができる。
【００３２】
図８に示すように、棚２６，２７（図３参照）の後方（自動車１００の後方）にはリアボード３３が立設され、リアボード３３の背面側（自動車１００の後方側）には様々な器具を保持可能な伸縮ネット３４や凹状の収納スペース３５などを備えている。また、リアボード３３の下方にも横長で凹状の収納スペース３６が設けられている。さらに、図３に示すように、リアボード３３と自動車１００の背面ドア３８との間には目隠しカーテン３７が設けられている。
【００３３】
図８に示すように、自動車１００の背面の車体下部には、外部から自動車１００に対して交流１００Ｖを給電可能な入力端子４６を備えている。交流１００Ｖの商用電源が存在する場所であれば、商用電源のコンセント（図示せず）と入力端子４６とを電源コード（図示せず）で接続することにより、自動車１００に搭載された電源に頼ることなく、自動車１００内の各種電気機器を作動させることができる。入力端子４６は防水密閉構造を有しているので、不使用時に雨水や塵埃などによる悪影響を受けることはない。
【００３４】
なお、入力端子４６とは別に、自動車１００に搭載された電源から車外へ給電可能な出力端子（図示せず）を設ければ、前記出力端子に、商用ＡＣ１００Ｖ電源で作動する各種電気機器の電源コードの差込プラグを差し込むことにより各種電気機器へ給電することが可能となる。また、緊急災害時の停電の際に前記出力端子から車外へ電気を供給することもできるようになる。前述と同様、出力端子を防水密閉構造としておけば、不使用時に雨水や塵埃などによる悪影響を受けることはない。
【００３５】
図３に示すように、椅子３の下方にはトイレユニット８（図１０参照）が配置されている。詳しくは、図９に示すように、左右の肘置き２１，２２のスペースにトイレユニット８が着脱可能に配置されている。図３，図７に示すように、通常時（トイレ不使用時）は、椅子３の着座部３ａによってトイレユニット８の上面が覆われているので、トイレユニット８は見えない状態に保たれている。
【００３６】
トイレユニット８を使用する場合は、椅子３の背もたれ２０（図７参照）を取り外し、図９に示すように、着座部３ａの前縁部３ｂを持ち上げ、背もたれ２０があった位置に立て掛けると、トイレユニット８の便座８１が現れるので、一般の洋式トイレと同様、便座８１に腰を下ろして用を足すことができる。
【００３７】
図１０はトイレユニット８を示す一部省略斜視図である。図１０に示すように、トイレユニット８は、Ｕ字状の一対の支持脚８２，８２により設置面から上方に離れた状態に支持された直方体形状のケーシング８３と、ケーシング８３の上面に配置された便座８１と、便座８１下方のケーシング８３内に収納された封止手段（フィルムロール）８ｂと、凝固剤８ａと、トイレユニット８を操作するためのリモコン８５と、差込プラグ８６ａ付きの電源コード８６などを備えている。
【００３８】
自動車１００の室内１０に設けられた肘置き２１，２２の間にトイレユニット８を配置し、電源コード８６の差込プラグ８６ａを、近くにある交流１００Ｖ給電手段７に差し込み、封止手段（フィルムロール）８ｂなどを所定状態にセットすれば、使用可能な状態となる。
【００３９】
封止手段（フィルムロール）８ｂは、長尺で筒状のフィルムであり、便座８１下方のケーシング８３内に収納されている。ケーシング８３内の下方に配置された圧着装置（図示せず）によりフィルムロール８ｂの下端部は水密状に圧着されているので、フィルムロール８ｂは、便座８１の直下にて長尺の袋状をなした状態に保たれている。
【００４０】
トイレユニット８を使用する場合、用便前に凝固剤８ａを便座８１の開口部から袋状のフィルムロール８ｂ内へ投入する。用便後、リモコン８５の操作ボタンを操作すると、フィルムロール８ｂが汚物を包み込んだ状態で下方へ送られ、所定位置でフィルムロール８ｂの圧着及び切断が行われるので、汚物は所定長さに切断されたフィルムロール８ｂによって袋状に密封された状態となる。袋状のフィルムロール８ｂによって密封された汚物は、ケーシング８３の下方から排出されるので、各自治体で定められた所定の処理場所にて廃棄することができる。汚物は袋状のフィルムロール８ｂによって密封されているため汚物や臭気が漏洩することはない。
【００４１】
自動車１００の使い方は限定しないが、例えば、屋外の工事現場まで自動車１００を走行させて駐車スペースに駐車すれば、自動車１００の空間１０内に設けられた椅子３、テーブル２、ＰＣ４、ファクシミリ兼用プリンター５、インターネット接続手段６などを利用して、一般の事務所（建物内の事務所）における事務作業と同様の事務作業を行うことができる。また、空間１０内には照明灯Ｌ１，Ｌ２，Ｌ３などを備えているため、夜間の事務作業も支障なく行うことができる。
【００４２】
空間１０内は、自動車１００に装備された空調装置を利用して空調することができるので、春夏秋冬の何れの季節においても空間１０内で快適な事務作業を行うことができる。また、目隠しカーテン３７，４２，４３，４４などにより空間１０内は外部から遮蔽可能であるため、機密保持、プライバシー確保の点において優れている。
【００４３】
椅子３の下方にはトイレユニット８を備えているため、必要なときは何時でも用を足すことができ、汚物の処理も簡単である。目隠しカーテン３７，４２，４３，４４などを備えたことにより、トイレユニット８の周りは完全に個室化されるため、快適である。椅子３の下方にトイレユニット８を配置したことにより、事務作業用の空間とは別にトイレ設備を設ける必要がないので、トイレ設備によるスペース拡大、重量増大を回避することが可能となる結果、自動車１００は比較的小型となり、自動車１００は本来の良好な加速性能や登坂性能を発揮することができる。
【００４４】
前述したように、自動車１００の用途は限定しないので、建設工事現場などにおける事務所として使用することができるが、その他、地震、台風、洪水などの際の安全な場所への避難移動手段として利用することができ、避難先にて外部との連絡対応が可能であり、停電にも対応可能である。
【００４５】
なお、図１〜図１０に基づいて説明した自動車１００は本発明に係る自動車の一例を示したものであり、本発明に係る自動車は前述した自動車１００に限定されない。
【産業上の利用可能性】
【００４６】
本発明に係る自動車は、建設工事現場や災害現場などの近傍に駐車した状態で車内空間を事務所や連絡所などとして使用することができるので、様々な産業分野において広く利用することができる。
【符号の説明】
【００４７】
１  運転席
２  テーブル
２ａ，１８ａ  蝶番
３，１８  椅子
３ａ  着座部
３ｂ  前縁部
４  パーソナルコンピューター（ＰＣ）
５  ファクシミリ兼用プリンター
６  インターネット接続手段
７  交流１００Ｖ給電手段
８  トイレユニット
８ａ  凝固剤
８ｂ  封止手段（フィルムロール）
９  助手席
１０  空間
１１  隙間
１２Ｌ  左後部ドア
１２Ｒ  右後部ドア
１２Ｌｗ，１２Ｒｗ  ガラス窓部
１３  乗降口
１４，３１  間仕切りパーテーション
１５  間仕切りカーテン
１６  乗降用手摺り
１７  配電板
１９  収納スペース
１９ａ  側板
２０  背もたれ
２１，２２  肘置き
２３  カップホルダ
２４  充電スペース
２５，２６，２７  棚
２８，３１，４１  支持板
２８ａ  斜縁部
２９  液晶ディスプレイ
３０  フレキシブルアーム
３２ａ，３２ｂ  ロック器具
３３  リアボード
３４  伸縮ネット
３５，３６  収納スペース
３７，４２，４３，４４  目隠しカーテン
３８  背面ドア
３９  仕切板
４０  ＡＥＤ（自動体外式除細動器）
４４Ｌｗ  左後部窓
４４Ｒｗ  右後部窓
４５  ＵＳＢポート
４６  入力端子
４７，４８，４９  操作パネル
４７ａ，４９ａ，４９ｂ，４９ｃ  スイッチ
４８ａ  メインスイッチ
４９ｄ  インジケータ
５０  収納ポケット
８１  便座
８２  支持脚
８３  ケーシング
８４  上面
８５  リモコン
８６  電源コード
８６ａ  差込プラグ
１００  自動車
Ｃ  天井部
Ｆ  フロア
Ｌ１，Ｌ２，Ｌ３  照明灯
ＳＢ  シートベルト
【図１】
2020063023.tif 000003
【図２】
2020063023.tif 000004
【図３】
2020063023.tif 000005
【図４】
2020063023.tif 000006
【図５】
2020063023.tif 000007
【図６】
2020063023.tif 000008
【図７】
2020063023.tif 000009
【図８】
2020063023.tif 000010
【図９】
2020063023.tif 000011
【図１０】
2020063023.tif 000012